(57)【要約】      （修正有）【課題】従来のテーブル用折りたたみ脚の連結金具は、テーブル天板に対し脚を垂直方向にのみ取り付けることができなかったため、天板に取り付けるテーブル脚の形状を限定されていた。本考案は、直角方向に曲折しているテーブル脚と天板を連結し、なおかつそのテーブル脚の折りたたみを可能とするテーブル用折りたたみ脚の連結金具を提供する。【解決手段】連結金具は天板金具と脚金具を水平状態に維持することで、常態において直角方向に折曲しているテーブル脚を天板と連結することを可能にするテーブル用折りたたみ脚の連結金具であり、それによりテーブル天板と脚をテーブルとして使う状態において、視覚的に一体化することができる。【選択図】図１
0003126556.tif 000002
【実用新案登録請求の範囲】
【請求項１】
天板に背板を固着し両側から直角方向に折曲してなる両側板の一方の側板に切欠溝を形成した天板金具と、脚に背板を固定し両側から直角方向に折曲してなる両側板の一方の側板に長溝を形成した脚金具とを、前記した両側板が当接するように位置させて対象位置に設けた軸を中心にして回動できるように結合し、しかも脚金具の両側板の一方に端部を浮遊状に係止し、多端部を前記した長溝および切欠溝を貫通させ天板金具の一方の側板外に延出したロック軸を、ばねによって常態において天板の背板方向に引っ張るようにして構成したことを特徴とするテーブル用折りたたみ脚の連結金具。
【請求項２】
請求項１記載の天板金具と脚金具において、テーブル脚本体が直角方向に曲折していることで水平状態に連結し、テーブルとして機能することを特徴とするテーブル用折りたたみ脚の連結金具。
【考案の詳細な説明】
【技術分野】
【０００１】  この考案はテーブルにおける折りたたみ脚の連結金具に関し、常態において直角方向に曲折しているテーブル脚を天板と連結することを可能にするテーブル用折りたたみ脚の連結金具に係る。
【背景技術】
【０００２】  従来のテーブル用折りたたみ脚の連結金具は図１０，１１に示すとおり、テーブルの脚と天板は連結金具を介してテーブルとして使用する状態において、天板に対し脚を連結金具を介して垂直方向に取り付けることしかできなかった。
そのため、図９に示したような状態において図８のような直角方向に曲折しているテーブル脚を天板に連結することは不可能であった。
【考案の開示】
【考案が解決しようとする課題】
【０００３】  この考案は、図１および図２に示したような常態において直角方向に曲折しているテーブル脚と天板を連結し、なおかつそのテーブル脚の折りたたみを可能とするテーブル用折りたたみ脚の連結金具を提供することを課題とする。
【課題を解決するための手段】
【０００４】  本考案は以上のような点を鑑み考案されたものであり、図８のような常態に置いて直角方向に曲折したテーブル脚を天板と連結させるために、天板金具と脚金具を共通する通孔にロック杆を挿着する構造によって、テーブルとして機能する場合、天板金具と脚金具が水平状態に結合するように形成されている。
【考案実施の形態】
【０００５】  この考案に係るテーブルにおける折りたたみ脚の連結金具の実施例を図１および図２によりその概要を説明すれば次のとおりである。
図１および図２における図面符号はいずれも次の部材をあらわすものであり、１は天板、２は脚、３は連結金具、４は天板金具、５は脚金具、６は軸、７はロック杆、４３，４４は切欠溝および５３は長溝をそれぞれ示すものである。
符号１０で示すテーブルは天板１と脚２とが折りたたみできるように連結金具３を介して結合されており、この両部材は天板と一体の天板金具４と脚金具５とを軸６を介してこの軸を中心にしてほぼ１／４回転できるように連結されている。
【０００６】  また図１に示すテーブルとして機能させる場合にはロック杆７をロック用の切欠溝４３に係合させてテーブルを形成し、図２に示すように天板１と脚２とを折りたたむ場合には、前記ロック杆７を切欠溝４３により解除して脚２を軸６を中心にして内側にほぼ９０°回転し、ロック杆７を切欠溝４４に係合させて天板１に対して脚２がほぼ平行するように折りたたみ状態を維持させるようにするものである。
【０００７】  上記した連結金具３の詳細を、添付図面を参照しながら説明すれば次のとおりである。
図３は連結金具の斜視図であり、同図に示すように連結金具３は天板金具４と脚金具５とで形成されており、両金具は対象位置に設けられている軸６を中心にして回転できるように連結されている。また脚金具５の側壁に端部を浮動状に係止し他端を天板金具４の側板４２外に延出しているロック杆７が設けられている。
なお符号１２は天板金具４を天板に取り付けるための天板金具の背部板に設けた通孔である。
【０００８】  上記した天板金具４と脚金具５およびロック杆７との関係を詳細に説明するため図３の矢印方向を平面図として示す図４により説明すれば次のとおりである。
また４３、４４は天板金具の一方の側板４２の周面に形成した切欠溝、５３は脚金具５の一方の側板５２の適所に形成した長溝である。
図３、図４および同図Ｉ−Ｉ  線断面図で示したように、天板金具４は背板４１とこの板の両サイドから直角方向に曲折された側板４２，４２で形成されており、脚金具５は背板５１とこの板の両サイドから直角方向に折曲された側板５２，５２で形成されており、両金具４，５は脚金具の両側板を天板金具の両側板で抱持状に保持し、しかも対象位置に設けた軸６によって回転できるように結合されている。
【０００９】  特にＩ−Ｉ断面図が明らかなように、ロック軸７２の端部７２′を浮動状に係止しているロック杆７が前記したロック軸７２を脚金具の−方の側板５２に形成した長溝５３および天板金具の一方の側板４２を貫通するように取り付けられており、しかも前記ロック杆７は一端を固定部４４に他端をロック軸にそれぞれの端部を固定して張設されているばね７３によって天板方向に引き上げられるように取り付けられている。またこのロック杆７には押部７１が自由端に形成されている。
【００１０】  なおＩ−Ｉ線断面図におけるロック軸７２は図５およびＩＩ−ＩＩ線断面図で示すように天板金具および脚金具のそれぞれの一方の側板４２，５２に形成した切欠溝４３およびこれに重なり合っている長溝５３のそれぞれの溝内にある場合を示したもので、この状態は前記量金具に固定されている天板１と脚２とが開脚状に維持されテーブルと機能する場合を示している。
【００１１】  またロック軸７２は特にＩＩ−ＩＩ線断面図で明らかなように常態において、ばね７３によって天板金具方向に引き上げられるように（上方）付勢されているがロック杆の押部７１を反付勢方向（下方）に押し下げることで切欠溝４３から離脱し、長溝内を自由に上下方向に移動できるものである。
この考案にかかわる折たたみ脚の連結金具を備えたテーブルの折りたたみ状態を図５、図６および図７により説明すれば次のとおりである。
テーブルとして機能している脚２を折りたたむ場合には図５で示されているロック杆７の押部７１を左方に押し下げ天板金具の側板の切欠溝４３に嵌入しているロック軸７２をこの切欠溝を離脱させる。
【００１２】  次に図５における脚２を軸６を中心にして内側に回動する。（矢印参照）
こうすることによって切欠溝４３より離脱したロック軸７２は図６に示すように脚２の回動に従って軸表面を天板金具の一方の側板４２の周面４６に当接させながら移動する。
ついでこのロック軸７２は脚２が折りたたみの最終位置に到達した段階で図７に示すように次の切欠溝４４内に嵌入し、それ以後の脚２の回動を阻止する。
【００１３】  なお前記した折りたたみ脚を開脚させる場合にはロック杆の押部を押し下げて脚２を開脚方向に回転すれば最終段階で前記ロック軸が切欠溝４３に嵌着することでテーブルを形成することができる。
この考案は上記実施例に限定されるものでなく、天板および脚金具の形状あるいは天板および脚との結合手段または各切欠溝および長溝の形状およびばねとその取り付け手段などは必要に応じて任意に設計できるものである。
【考案の効果】
【００１４】  この考案は、従来のテーブル天板に対し脚を垂直方向にのみ取り付けることができなかった連結金具を、常態において直角方向に折曲しているテーブル脚を天板と連結することを可能にするテーブル用折りたたみ脚の連結金具であり、それによりテーブル天板と脚が一体化している視覚効果を与えることができ、デザイン効果を向上させる極めて便利なものである。
【図面の簡単な説明】
【００１５】
【図１】テーブルとして機能している連結金具の説明図。
【図２】折りたたんだ場合の連結金具の説明図である。
【図３】連結金具の斜視図である。
【図４】連結金具の平面図である。
【図５】連結金具のロック状態の説明図である。
【図６】連結金具の折りたたみ状態の説明図である。
【図７】連結金具の折りたたみ状態の説明図である。
【図８】常態において直角方向に折曲しているテーブル脚である。
【図９】テーブルとして構成された状態の斜視図である。
【図１０】従来の連結金具の説明図である。
【図１１】従来の連結金具の説明図である。
【符号の説明】
【００１６】１  テーブル天板
２  脚
３  連結金具
４  天板金具
５  脚金具
６  軸
７  ロック杆
８  従来の連結金具
１０  テーブル
１２  通孔
４１（５１）  背板
４２（５２）  側板
４３（４４）  切欠溝
５３  長溝
７２  ロック軸
７３  ばね
【図１】
0003126556.tif 000003
【図２】
0003126556.tif 000004
【図３】
0003126556.tif 000005
【図４】
0003126556.tif 000006
【図５】
0003126556.tif 000007
【図６】
0003126556.tif 000008
【図７】
0003126556.tif 000009
【図８】
0003126556.tif 000010
【図９】
0003126556.tif 000011
【図１０】
0003126556.tif 000012
【図１１】
0003126556.tif 000013